(57)【要約】【課題】通信機器と無線通信により接続して通信機器を操作するための無線操作機の、音声認識による操作性を向上させる。【解決手段】無線操作機１は、音声認識による１以上のコマンド入力を受け付ける通信機器２０を操作する。無線操作機１は、通信機器２０と無線通信により接続するための無線通信部６と、ユーザの操作を受け付ける操作受付部８と、音声入力をマイクにより受け付けて音声データを生成する音声入力受付部２と、コマンドそれぞれに対応する音声データを含む代理音声データ２１を記憶するための記憶部７と、操作部材へのユーザの操作に応じて、音声入力受付部２により生成された音声データまたは代理音声データ２１を通信機器２０へ無線通信部６により送信するＭＣＵ５とを備える。【選択図】図２
2013214924.tif 000002
【特許請求の範囲】
【請求項１】
無線操作機であって、
音声認識による１以上のコマンド入力を受け付ける通信機器と無線通信するための通信部と、
ユーザの操作を受け付ける操作部と、
前記コマンドに対応する音声データを含む代理音声データを記憶するための記憶部と、
前記操作部へのユーザの操作に応じて、前記代理音声データを前記通信機器へ前記無線通信により送信することにより、前記通信機器の音声認識によるコマンド入力を行う制御部とを備える、無線操作機。
【請求項２】
前記操作部は、
音声による前記通信機器へのコマンド入力を開始するためのユーザの操作を受け付けるコマンド発動受付部と、
前記通信機器へ送信する前記代理音声データを選択するユーザの操作を受け付けるデータ選択受付部とを含み、
前記制御部は、
前記コマンド発動受付部へのユーザの操作に応じて、前記通信機器と無線通信し、前記データ選択受付部へのユーザの操作に応じて、前記通信機器へ送信する前記代理音声データを選択する、請求項１記載の無線操作機。
【請求項３】
前記制御部は、前記無線操作機のマイクにより音声入力を受け付けて、受け付けた音声を示す入力音声データを生成し、前記操作部へのユーザ操作に応じて、前記入力音声データまたは前記代理音声データを前記通信機器へ送信する、請求項１記載の無線操作機。
【請求項４】
前記代理音声データは、
前記コマンドに対応する音声データと、
前記コマンドにおけるパラメータに対応する音声データとを含む、
請求項１記載の無線操作機。
【請求項５】
前記通信部は、
近距離無線通信により前記通信機器と接続する、請求項１記載の無線操作機。
【請求項６】
無線操作機の動作を制御する方法であって、
前記無線操作機は、前記コマンドそれぞれに対応する音声データを含む代理音声データを記憶するための記憶部を含み、
前記方法は、
前記無線操作機に、音声認識による１以上のコマンド入力を受け付ける通信機器と無線通信させるステップと、
前記無線操作機に、音声入力を前記無線操作機のマイクにより受け付けて音声データを生成させるステップと、
前記無線操作機の操作部へのユーザの操作に応じて、前記代理音声データを前記通信機器へ前記無線通信により送信することにより、前記通信機器の音声認識によるコマンド入力を行うステップとを含む、方法。
【請求項７】
無線操作機の動作を制御する制御プログラムであって、
前記無線操作機は、前記コマンドそれぞれに対応する音声データを含む代理音声データを記憶するための記憶部を含み、
前記制御プログラムは、
前記無線操作機に、音声認識による１以上のコマンド入力を受け付ける通信機器と無線通信させるステップと、
前記無線操作機に、音声入力を前記無線操作機のマイクにより受け付けて音声データを生成させるステップと、
前記無線操作機の操作部へのユーザの操作に応じて、前記代理音声データを前記通信機器へ前記無線通信により送信することにより、前記通信機器の音声認識によるコマンド入力を行うステップとを含む、制御プログラム。
【発明の詳細な説明】
【技術分野】
【０００１】
この発明は、通信機器と無線通信により接続して通信機器を操作するための無線操作機に関し、特に、音声認識による操作性の向上に関する。
【背景技術】
【０００２】
スマートフォン等の通信機器が普及するにつれて、通信機器と無線通信により接続し、通信機器を操作することができる無線操作機も普及してきている。無線操作機の例としては、スマートフォン等の通信機器とBluetooth（登録商標）により無線通信接続するBluetoothヘッドセットがある。ユーザは、こうした無線操作機を用いることにより、通信機器に触れることなく発信、着信、および通話等の操作をすることができる。
【０００３】
無線操作機を用いると、ユーザにとっては、例えば、（１）通信機器を充電台に設置したままの状態で操作する、（２）通信機器を電波受信状況のよい窓際に置いたまま操作する、（３）カバンの中に通信機器を入れたまま着信を受ける、等の利点がある。
【０００４】
一方、通信機器の中には、音声認識による操作に対応しているものがある。ユーザは、「電話をかける（"CALL"）」等、通信機器に動作をさせるコマンドを発声することにより、通話などの動作を通信機器に実行させることができる。
【０００５】
このような通信機器の音声認識機能は、無線操作機を利用することによっても発揮される。通信機器と無線操作機とが例えばBluetoothにより無線通信することにより、ユーザの音声を、無線操作機から通信機器へと送信することができる。これにより、ユーザは、通信機器を手に持たずに通信機器を操作することができる。
【０００６】
音声認識機能を利用する技術の例として、下記の特許文献１は、携帯端末の筺体を閉じた状態でも使用することができる、携帯端末の音声認識制御方法を開示する。下記の特許文献２は、照明機器の制御を音声によって指示できる技術を開示する。下記の特許文献３は、車両用通信装置において、携帯電話機から出力されるダイヤルトーンをコードに変換することにより、携帯電話機を使用して車両の通信制御を実現する技術を開示する。下記の特許文献４は、音声言語障害者から発せられる音声を加工変換して使用者に提示するとともに、外部からの音声を加工変換して使用者に提示する技術を開示する。
【先行技術文献】
【特許文献】
【０００７】
【特許文献１】特開２００９−２１３１４３号公報
【特許文献２】特開２００４−３５５８５４号公報
【特許文献３】特開２００１−３０１５７６号公報
【特許文献４】国際公開第２０００−４９８３４号
【発明の概要】
【発明が解決しようとする課題】
【０００８】
音声認識機能は、発声というユーザにとって比較的容易な操作で使用することができる。しかし、ユーザが入力した音声の音声認識がうまくいかず、音声認識されるまで、繰り返し音声入力を要する場合がある。
【０００９】
したがって、本発明は、通信機器と無線通信により接続して通信機器を操作するための無線操作機において、音声認識による操作性を向上させる技術を提供する。
【課題を解決するための手段】
【００１０】
一実施形態に従う無線操作機は、音声認識による１以上のコマンド入力を受け付ける通信機器と無線通信するための通信部と、ユーザの操作を受け付ける操作部と、コマンドに対応する音声データを含む代理音声データを記憶するための記憶部と、操作部へのユーザの操作に応じて、代理音声データを通信機器へ無線通信により送信することにより、通信機器の音声認識によるコマンド入力を行う制御部とを備える。
【００１１】
好ましくは、操作部は、音声による通信機器へのコマンド入力を開始するためのユーザの操作を受け付けるコマンド発動受付部と、通信機器へ送信する代理音声データを選択するユーザの操作を受け付けるデータ選択受付部とを含む。制御部は、コマンド発動受付部へのユーザの操作に応じて、通信機器と無線通信し、データ選択受付部へのユーザの操作に応じて、通信機器へ送信する代理音声データを選択することとしてもよい。
【００１２】
制御部は、無線操作機のマイクにより音声入力を受け付けて、受け付けた音声を示す入力音声データを生成し、操作部へのユーザ操作に応じて、入力音声データまたは代理音声データを通信機器へ送信することとしてもよい。
【００１３】
好ましくは、代理音声データは、コマンドに対応する音声データと、コマンドにおけるパラメータに対応する音声データとを含むこととしてもよい。
【００１４】
好ましくは、通信部は、近距離無線通信により通信機器と接続することとしてもよい。
別の実施形態に従うと、無線操作機の動作を制御する方法が提供される。無線操作機は、コマンドそれぞれに対応する音声データを含む代理音声データを記憶するための記憶部を含む。無線操作機の動作を制御する方法は、無線操作機に、音声認識による１以上のコマンド入力を受け付ける通信機器と無線通信させるステップと、無線操作機に、音声入力を無線操作機のマイクにより受け付けて音声データを生成させるステップと、無線操作機の操作部へのユーザの操作に応じて、代理音声データを通信機器へ無線通信により送信することにより、通信機器の音声認識によるコマンド入力を行うステップとを含む。
【００１５】
別の実施形態に従うと、無線操作機の動作を制御する制御プログラムが提供される。無線操作機は、コマンドそれぞれに対応する音声データを含む代理音声データを記憶するための記憶部を含む。制御プログラムは、無線操作機に、音声認識による１以上のコマンド入力を受け付ける通信機器と無線通信させるステップと、無線操作機に、音声入力を無線操作機のマイクにより受け付けて音声データを生成させるステップと、無線操作機の操作部へのユーザの操作に応じて、代理音声データを通信機器へ無線通信により送信することにより、通信機器の音声認識によるコマンド入力を行うステップとを含む。
【発明の効果】
【００１６】
一実施形態に従う無線操作機は、ユーザが音声認識機能を利用する際の操作性を向上させることができる。
【００１７】
この発明の上記および他の目的、特徴、局面および利点は、添付の図面と関連して理解されるこの発明に関する次の詳細な説明から明らかとなるであろう。
【図面の簡単な説明】
【００１８】
【図１】本実施形態の概要を示す図である。
【図２】無線操作機１の構成を示す機能ブロック図である。
【図３】記憶部７に記憶される代理音声データ２１を示す図である。
【図４】無線操作機１が音声認識機能により通信機器２０を操作する処理を示すフローチャートである。
【図５】無線操作機１が音声認識機能により通信機器２０を操作する処理を示すフローチャートである。
【発明を実施するための形態】
【００１９】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２０】
＜実施の形態１＞
以下、図面を用いて一実施形態について説明する。
【００２１】
＜１．１  構成の概要＞
図１は、本実施形態の概要を示す図である。図１は、無線操作機１と、通信機器２０と、無線基地局３０と、アクセススポット４０とを示している。また、図１は、通信機器２０と無線基地局３０とが含まれる移動体通信システムと、通信機器２０とアクセススポット４０とが含まれる無線通信システムとを示している。
【００２２】
無線基地局３０は、移動体通信システムを構成する無線基地局である。無線基地局３０は、例えばＷ−ＣＤＭＡ（Wideband  Code  Division  Multiple  Access）、ＬＴＥ（Long Term  Evolution）等の通信方式に対応し、通信機器２０と無線通信する。
【００２３】
アクセススポット４０は、IEEE  802.11n等の通信方式に対応している。アクセススポット４０は、通信機器２０と無線通信し、通信機器２０のインターネット接続を可能とする。
【００２４】
通信機器２０は、複数の無線通信機能を備えたスマートフォンである。通信機器２０は、例えばＷ−ＣＤＭＡ、ＬＴＥ、IEEE  802.11n、Bluetooth等による無線通信機能を備える。本実施形態では、通信機器２０は、無線基地局３０とアクセススポット４０等と無線通信することにより、他の無線通信端末等と音声通信する。また、通信機器２０は、無線通信によりインターネットに接続してデータ通信をする。
【００２５】
通信機器２０は、音声認識機能を有しており、音声入力を受け付けて、音声に対応するコマンドを実行する。
【００２６】
音声認識機能は、例えば、通信機器２０がインターネットに接続し、音声データをインターネットに接続された音声認識サーバへ送信することにより発揮される。具体的には、音声認識サーバは、音声認識エンジン等の機能を有しており、通信機器２０から送信された音声データを受け付けて、音声データに示されるコマンドを解析する。音声認識サーバは、この解析結果を通信機器２０へ送信する。
【００２７】
通信機器２０は、例えば、音声認識機能を発揮させるためのアプリケーションを起動し、音声データの入力を受け付ける。通信機器２０は、受け付けた音声データを、無線基地局３０等との無線通信により、インターネットを経由して音声認識サーバへ送信する。通信機器２０は、この音声認識サーバによる解析結果を受け付けることにより、入力された音声データに示されるコマンドの解析結果を取得する。
【００２８】
無線操作機１は、ユーザによる装着が可能なBluetoothヘッドセットである。無線操作機１は、Bluetoothにより通信機器２０と無線通信し、ユーザの操作内容を通信機器２０へ送信する。無線操作機１は、通信機器２０を動作させるための操作をユーザから受け付ける。
【００２９】
図１は、無線操作機１の構成の一部を示している。無線操作機１は、マイク３と、レシーバ９と、音声コマンド発動用ボタン２２と、代理音声データ選択ボタン２３と、を備える。
【００３０】
概要を説明すると、マイク３は、ユーザによる音声入力を受け付けて、受け付けた音声入力に応じて音声信号を出力する。
【００３１】
レシーバ９は、Bluetooth接続により通信機器２０から無線操作機１へ送信される音声データをスピーカにより出力する。
【００３２】
音声コマンド発動用ボタン２２と代理音声データ選択ボタン２３とは、通信機器２０の音声認識機能を利用した処理を通信機器２０に実行させるためのユーザの操作を受け付ける。この処理は後述する。
【００３３】
＜１．２  無線操作機１の構成＞
次に、図２を参照して無線操作機１の構成を説明する。
【００３４】
図２は、無線操作機１の構成を示す機能ブロック図である。
図２に示すように、無線操作機１は、音声入力受付部２と、ＭＣＵ（Micro  Control  Unit）５、無線通信部６と、記憶部７と、操作受付部８と、レシーバ９と、を含む。
【００３５】
音声入力受付部２は、マイク３と、音声処理部４と、を含み、ユーザによる音声入力を受け付けて音声データを生成する。
【００３６】
音声処理部４は、音声信号をＡＤ（Analog  to  Digital）変換等する。音声処理部４は、マイク３より入力された音声信号を信号処理して音声データを生成する。音声処理部４は、ＭＣＵ５より出力される音声データを信号処理し、レシーバ９へ出力する。
【００３７】
ＭＣＵ５は、ＣＰＵ（Central  Processing  Unit）コア、メモリ等を備え、無線操作機１の無線通信等の動作を統括的に管理する。
【００３８】
無線通信部６は、本実施形態ではBluetoothに対応し、ＲＦ＿ＩＣ（Radio  Frequency  Integrated  Circuit）等を含み、通信機器２０への無線信号の送信と、通信機器２０からの無線信号の受信とを行う。
【００３９】
記憶部７は、ＲＡＭ（Random  Access  Memory）等により構成される記憶領域である。記憶部７は、代理音声データ２１を記憶している。代理音声データ２１は後述する。
【００４０】
操作受付部８は、音声コマンド発動用ボタン２２と、代理音声データ選択ボタン２３と、を含み、ボタン等の操作部材により物理的にユーザの操作を受け付ける。
【００４１】
音声コマンド発動用ボタン２２は、通信機器２０に対し、音声認識機能を発揮させるためのユーザ操作を受け付ける。無線操作機１は、予めユーザによる音声コマンド発動用ボタン２２の押下をトリガーとして通信機器２０の音声認識処理を起動するよう設定されている。ユーザが音声コマンド発動用ボタン２２を押下すると、押下に起因して割り込み信号が発生する。無線操作機１は、この割り込み信号を検出して、音声コマンド発動用ボタン２２がユーザにより押下されたことを通信機器２０へ通知する。
【００４２】
代理音声データ選択ボタン２３は、後述する処理により、通信機器２０に送信すべき代理音声データ２１をユーザが選択する操作を受け付ける。
【００４３】
＜２  データ＞
次に、図３を参照して本実施形態におけるデータについて説明する。図３は、記憶部７に記憶される代理音声データ２１を示す図である。
【００４４】
図３に示すように、代理音声データ２１は、音声データそれぞれについて、音声データの属性と、音声データの音声内容（“Call”、“My  home”）を記憶している。本実施形態では、音声データの属性は、「コマンド」と「パラメータ」とを含む。
【００４５】
属性「コマンド」は、通信機器２０に動作させる処理の種類を示す。例えば、音声“Call”は、通信機器２０に音声発信を開始させるための音声である。
【００４６】
属性「パラメータ」の音声データは、属性「コマンド」に示される通信機器２０の動作と合わせて使用される。例えば、音声“My  home”は、ユーザの自宅を示している。パラメータ“My  home”は、コマンド“Call”と組み合わせると、ユーザの自宅へ音声発信を開始させる処理を音声認識により実行することを示す。
【００４７】
これらの音声データは、音声認識機能により、一定確率でほぼ確実に認識される音声であるものとする。これら音声データは、予め無線操作機１の記憶部７に記憶されるものとしてもよいし、インターネット等で音声データが配布され、この音声データをユーザがＰＣ（Personal  Computer）、通信機器２０等により入手して無線操作機１に送信することとしてもよい。
【００４８】
＜３  動作＞
無線操作機１を動作させるための構成および使用態様の概要は、以下のとおりである。
【００４９】
（１）無線操作機１は、代理音声データ２１を選択するための操作スイッチ（代理音声データ選択ボタン２３）を有する。
【００５０】
（２）ユーザは、無線操作機１に、ユーザの発声に代えて通信機器２０へ送信するための代理音声データ２１を格納する。
【００５１】
（３）ユーザが代理音声データ２１を選択した場合に、無線操作機１は、その音声データを通信機器２０へ送信する。
【００５２】
（４）ユーザは、無線操作機１の操作において、ユーザによる音声入力と、代理音声データ２１の使用とを任意に選択することができる。
【００５３】
次に、図４を参照して本実施形態における無線操作機１の動作について説明する。
図４は、無線操作機１が音声認識機能により通信機器２０を操作する処理を示すフローチャートである。
【００５４】
なお、図４では、音声コマンド発動用ボタン２２を「第１のボタン」とし、代理音声データ選択ボタン２３を「第２のボタン」として示している。
【００５５】
無線操作機１は、Bluetoothにより通信機器２０に接続され、無線通信により通信機器２０との間でデータを送受信する。
【００５６】
無線操作機１は、ユーザにより音声コマンド発動用ボタン２２が押下されたことを検出すると（ステップＳ１１：ＹＥＳ）、通信機器２０に音声認識機能を実行させるため、以下の処理を行う。
【００５７】
無線操作機１は、音声コマンド発動用ボタン２２がユーザにより押下されたことを通信機器２０に通知する（ステップＳ１３）。
【００５８】
通信機器２０は、無線操作機１より通知を受けて、音声コマンド発動用ボタン２２が押下されたことを検出すると、音声認識によるコマンド入力を受け付けるアプリケーションを起動する（ステップＳ１５）。
【００５９】
通信機器２０は、ユーザに対し、コマンドの指定のための音声入力を促すため、無線操作機１にガイダンス音声を送信する（ステップＳ１７）。具体的には、ガイダンス音声の内容は、無線操作機１の操作ガイドをユーザに通知するためのものとする。ガイダンス音声の内容は、ユーザが代理音声データ２１を使用して音声データを通信機器２０へ送信する場合には所定時間内に代理音声データ選択ボタン２３を押下すべきことを含んでもよい。例えば、音声ガイダンスの内容は、「コマンドを音声入力してください。代理音声データを使用する場合は、所定時間内にボタンを押してください」等である。
【００６０】
無線操作機１は、通信機器２０から送信されるガイダンス音声を受信して、受信したガイダンス音声を、レシーバ９のスピーカ（図示しない）により出力する（ステップＳ１９）。
【００６１】
無線操作機１は、ガイダンス音声の出力開始から、予め無線操作機１の設定で定めた時間内（例えば数秒以内）に代理音声データ選択ボタン２３の押下があるか否かを判断する（ステップＳ２１）。
【００６２】
ステップＳ２１において、無線操作機１が、代理音声データ選択ボタン２３は押下されたと判断した場合（ステップＳ２１：ＹＥＳ）、無線操作機１は、代理音声データ２１の属性「コマンド」の音声データを順次再生する（ステップＳ２３）。
【００６３】
無線操作機１は、音声再生中にユーザによる代理音声データ選択ボタン２３の押下があるか否かを判断する（ステップＳ２５）。
【００６４】
ステップＳ２５において、無線操作機１は、音声再生中に代理音声データ選択ボタン２３が押下されたと判断すると（ステップＳ２５：ＹＥＳ）、代理音声データ選択ボタン２３が押下された時に再生されている音声をユーザが選択したとみなし、選択された音声データを通信機器２０へ送信する（ステップＳ２７）。
【００６５】
また、ステップＳ２１において、無線操作機１は、代理音声データ選択ボタン２３が所定時間内に押下されなかったと判断すると（ステップＳ２１：ＮＯ）、ユーザが自らの発声による音声入力を選択したとみなし、ユーザによる音声入力を、マイク３により受け付ける（ステップＳ２９）。
【００６６】
無線操作機１は、ステップＳ２９において入力された音声を、通信機器２０へ送信する（ステップＳ３１）。
【００６７】
通信機器２０は、無線操作機１がステップＳ２７またはステップＳ３１において送信した音声データを受信して、音声認識サーバと通信して音声認識処理を行わせる（ステップＳ３３）。
【００６８】
通信機器２０は、音声認識処理の結果を音声認識サーバより受け付ける。通信機器２０は、音声認識によりコマンドが認識されれば（ステップＳ３３：ＹＥＳ）、認識されたコマンドに従って動作する（ステップＳ３５）。
【００６９】
通信機器２０は、音声認識に失敗した場合は（ステップＳ３３：ＮＯ）、音声認識に失敗したことを通知するためのエラーメッセージを無線操作機１へ送信する（ステップＳ３７）。
【００７０】
無線操作機１は、ステップＳ３１においてユーザの発声による音声データを送信した後、通信機器２０から無線操作機１にエラーメッセージが通知されると（ステップＳ３９：ＹＥＳ）、ステップＳ２９の処理に戻り、ユーザの音声入力を受け付ける。
【００７１】
以上の処理により、無線操作機１は、ユーザの選択に応じて通信機器２０を動作させるための「コマンド」の代理音声データ２１を通信機器２０へ送信する。これにより、ユーザは、音声認識機能により通信機器２０を高確率で動作させることができる。
【００７２】
次に、図５を参照して「パラメータ」の音声データを無線操作機１から通信機器２０へ通知する処理を説明する。図５は、無線操作機１が音声認識機能により通信機器２０を操作する処理を示すフローチャートである。
【００７３】
なお、図５において「Ｘ」および「Ｙ」は、それぞれ図４に示す「Ｘ」「Ｙ」に続く処理であることを示す。また、図５を用いた動作の説明では、無線操作機１は、図４の処理によりコマンド「Call」に対応する音声データを送信したものとする。通信機器２０は、コマンド「Call」を受け付けて、発呼処理を実行するため、発呼先の指定をユーザに促すための処理を行う。
【００７４】
無線操作機１は、ユーザにより音声コマンド発動用ボタン２２が押下されたことを検知すると、音声コマンド発動用ボタン２２が押下されたことを通信機器２０へ通知する。通信機器２０は、無線操作機１において音声コマンド発動用ボタン２２が押下されたことを検出する。通信機器２０は、ユーザに対し、パラメータの指定のための音声入力を促すため、無線操作機１にガイダンス音声を送信する（ステップＳ４１）。具体的には、コマンド「Call」に対応するガイダンス音声の内容は、発呼先となる通信相手の指定を促すものとする。ガイダンス音声の内容は、ユーザが代理音声データ２１を使用して音声データを通信機器２０へ送信する場合には所定時間内に代理音声データ選択ボタン２３を押下すべきことを含んでもよい。
【００７５】
無線操作機１は、通信機器２０から送信されるガイダンス音声を受信して、受信したガイダンス音声を、レシーバ９のスピーカ（図示しない）により出力する（ステップＳ４３）。
【００７６】
無線操作機１は、ガイダンス音声の出力開始から所定時間内に代理音声データ選択ボタン２３の押下があるか否かを判断する（ステップＳ４５）。
【００７７】
ステップＳ４５において、無線操作機１は、代理音声データ選択ボタン２３が押下されたと判断した場合（ステップＳ４５：ＹＥＳ）、代理音声データ２１の属性「パラメータ」の音声データを順次再生する（ステップＳ４７）。
【００７８】
無線操作機１は、音声再生中にユーザによる代理音声データ選択ボタン２３が押下されたか否かを判断する（ステップＳ４９）。
【００７９】
ステップＳ４９において、無線操作機１は、音声再生中に代理音声データ選択ボタン２３が押下されたと判断すると（ステップＳ４９：ＹＥＳ）、その押下がなされた時に再生されている音声データをユーザが選択したとみなし、選択された音声データを通信機器２０へ送信する（ステップＳ５１）。図５の例では、コマンド「Call」に対応して、パラメータ「My  home」の音声データをユーザが選択したとする。
【００８０】
また、ステップＳ４５において、無線操作機１は、代理音声データ選択ボタン２３が所定時間内に押下されなかったと判断した場合（ステップＳ４５：ＮＯ）、ユーザが自らの発声による音声入力を選択したとみなし、ユーザによる音声入力を、マイク３により受け付ける（ステップＳ５３）。
【００８１】
無線操作機１は、ステップＳ５３において入力された音声を、通信機器２０へ送信する（ステップＳ５５）。
【００８２】
通信機器２０は、無線操作機１がステップＳ５１またはステップＳ５５において送信した音声データを受信して、音声認識サーバにより音声認識処理を行う（ステップＳ５７）。
【００８３】
通信機器２０は、音声認識によりコマンドが認識されたと判断すると（ステップＳ５７：ＹＥＳ）、認識されたコマンドにより動作する（ステップＳ５９）。
【００８４】
通信機器２０は、音声認識に失敗したと判断すると（ステップＳ５７：ＮＯ）、音声認識に失敗したことを通知するためのエラーメッセージを無線操作機１へ送信する（ステップＳ６１）。
【００８５】
無線操作機１は、ステップＳ５５においてユーザの発声による音声データを送信した後、通信機器２０から無線操作機１へエラーメッセージが通知されると（ステップＳ６３：ＹＥＳ）、ステップＳ５３の処理に戻り、ユーザの音声入力を受け付ける。
【００８６】
以上説明したとおり、本実施形態によると、ユーザが通信機器の音声認識機能を利用する場合、通信機器に予め設定された「コマンド」の音声については、代理音声データ２１を用いて確実に音声認識させて通信機器２０にコマンドに従った動作を実行させることができる。さらに、「パラメータ」の音声についても同様に、代理音声データ２１により、通信機器２０に、確実に音声認識させることができる。また、「コマンド」及び「パラメータ」の音声のうち、ユーザの発声による音声認識の確率が高い傾向にある音声は、ユーザ自身の発声により音声認識させることができる。ユーザは、「コマンド」及び「パラメータ」の音声を、幅広い選択肢から選ぶことができる。
【００８７】
以上のように実施の形態について説明した。この実施形態では、無線操作機１は、通信機器２０の音声認識機能をユーザが利用する場合に、ユーザの発声により入力される音声に代えて代理音声データを通信機器２０へ送信する。そのため、通信機器２０側には特別なハードウェアの対応、ソフトウェアの対応は不要である。
【００８８】
一方、無線操作機１においても、無線操作機１が音声データを保持しておき、保持されている音声データを、ユーザの操作に応じて通信機器２０へ送信する構成を追加すればよい。そのため、上記実施形態を実現するには、メモリの増量、ソフトウェアの変更での対応が可能であり、コストアップを抑えて設計することが可能である。
【００８９】
なお、上記実施形態の説明において、通信機器２０は、音声認識機能を発揮するため、音声データを、比較的高精度な音声認識が可能な音声認識サーバへ送信するものとして説明した。音声認識の方法は、これに限らず、通信機器２０が音声認識エンジンを搭載して音声認識するものとしてもよい。
【００９０】
例えば、通信機器２０が、無線基地局、アクセススポット等と無線通信できる状態ではない場合や、通信機器２０が音声認識サーバへ音声データを送信することによる音声認識を行うのに適した通信品質ではない場合等が想定される。これらの場合に対応するため、通信機器２０は、通信機器２０の外部の高精度な音声認識エンジンを使用せず、通信機器２０に予め搭載する音声認識エンジンを使用する。このように音声認識エンジンの精度が低い場合においても、本実施形態で説明したように、音声認識されやすい代理音声データを無線操作機１から通信機器２０に送信することにより、音声コマンドの認識率を向上させることができる。
【００９１】
今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【産業上の利用可能性】
【００９２】
本発明は、通信機器を無線通信により操作することができる無線操作機に用いることができる。
【符号の説明】
【００９３】
１  無線操作機、２  音声入力受付部、３  マイク、４  音声処理部、５  ＭＣＵ、６  無線通信部、７  記憶部、８  操作受付部、９  レシーバ、２０  通信機器、２１  代理音声データ、２２  音声コマンド発動用ボタン、２３  代理音声データ選択ボタン、３０  無線基地局、４０  アクセススポット。
【図１】
2013214924.tif 000003
【図２】
2013214924.tif 000004
【図３】
2013214924.tif 000005
【図４】
2013214924.tif 000006
【図５】
2013214924.tif 000007